(57)【要約】  液体洗濯洗剤組成物であって、ａ．液相と、ｂ．当該組成物の１０重量％〜５０重量％の水溶性固相であって、当該固相が、当該固相の少なくとも３０重量％の洗浄活性物質を含み、当該洗浄活性物質が、当該洗浄活性物質の５０重量％〜９０重量％の界面活性剤、及び当該洗浄活性物質の１０重量％〜２０重量％の非界面活性剤洗浄活性物質を含む、水溶性固相と、を含み得、当該固相が、当該液相内に分散しており、当該水溶性固相が、当該液体洗濯洗剤組成物を１２Ｎ（１２００Ｇ）で１０分間遠心分離したときに得られる固体として定義され、当該液相が、当該液体の５重量％〜４０重量％の、エチレングリコール、１，３プロパンジオール、１，２プロパンジオール、テトラメチレングリコール、ペンタメチレングリコール、ヘキサメチレングリコール、２，３−ブタンジオール、１，３ブタンジオール、ジエチレングリコール、トリエチレングリコール、ポリエチレングリコール、グリセロールホルマール、ジプロピレングリコール、ポリプロピレングリコール、ジプロピレングリコールｎ−ブチルエーテル、及びこれらの混合物を含む群から選択されるアルコール、好ましくは、１，２プロパンジオール、ジプロピレングリコール、ポリプロピレングリコール、２，３−ブタンジオール、ジプロピレングリコールｎ−ブチルエーテル、及びこれらの混合物を含む群から選択されるアルコールを含み、当該組成物が、当該組成物の１０重量％〜５０重量％の非アミン中和アニオン性界面活性剤を含み、当該液体洗濯洗剤組成物が、当該液体洗濯洗剤組成物の１０重量％未満のアミン中和アニオン性界面活性剤を含み、当該組成物が、本明細書に記載された組成物ｅＲＨ試験によって測定したときに２０℃で６０％未満の平衡相対湿度を有し、当該組成物が、当該組成物の５重量％未満のヒドロキシル含有アミン化合物を含む、液体洗濯洗剤組成物。【特許請求の範囲】
【請求項１】
本発明の液体洗濯洗剤組成物であって、
ａ．液相と、
ｂ．前記組成物の１０重量％〜５０重量％の水溶性固相であって、前記固相が、前記固相の少なくとも３０重量％の洗浄活性物質を含み、前記洗浄活性物質が、前記洗浄活性物質の５０重量％〜９０重量％の界面活性剤、及び前記洗浄活性物質の１０重量％〜２０重量％の非界面活性剤洗浄活性物質を含む、水溶性固相と、
を含み、
前記固相が、前記液相内に分散しており、前記水溶性固相が、前記液体洗濯洗剤組成物を１２Ｎ（１２００Ｇ）で１０分間遠心分離したときに得られる固体として定義され、
前記液相が、前記液体の５重量％〜４０重量％の、エチレングリコール、１，３プロパンジオール、１，２プロパンジオール、テトラメチレングリコール、ペンタメチレングリコール、ヘキサメチレングリコール、２，３−ブタンジオール、１，３ブタンジオール、ジエチレングリコール、トリエチレングリコール、ポリエチレングリコール、グリセロールホルマール、ジプロピレングリコール、ポリプロピレングリコール、ジプロピレングリコールｎ−ブチルエーテル、及びこれらの混合物を含む群から選択されるアルコール、好ましくは、１，２プロパンジオール、ジプロピレングリコール、ポリプロピレングリコール、２，３−ブタンジオール、ジプロピレングリコールｎ−ブチルエーテル、及びこれらの混合物を含む群から選択されるアルコールを含み、
前記組成物が、前記組成物の１０重量％〜５０重量％の非アミン中和アニオン性界面活性剤を含み、前記液体洗濯洗剤組成物が、前記液体洗濯洗剤組成物の１０重量％未満のアミン中和アニオン性界面活性剤を含み、
前記組成物が、本明細書に記載された組成物ｅＲＨ試験によって測定したときに２０℃で６５％未満の平衡相対湿度を有し、
前記組成物が、前記組成物の５重量％未満のヒドロキシル含有アミン化合物を含む、液体洗濯洗剤組成物。
【請求項２】
前記組成物が、前記組成物の１０重量％〜４０重量％の前記水溶性固相を含む、請求項１に記載の洗剤組成物。
【請求項３】
前記固相が、前記固相の少なくとも４０重量％、又は更には少なくとも５０重量％の洗浄活性物質を含む、請求項１又は２に記載の洗剤組成物。
【請求項４】
前記界面活性剤が、アニオン性界面活性剤、好ましくは、直鎖アルキルベンゼンスルホネート、アルキルサルフェート、又はこれらの混合物、最も好ましくは、層状液晶アルキルベンゼンスルホネート、層状液晶アルキルサルフェート、又はこれらの混合物を含む、請求項１〜３のいずれか一項に記載の洗剤組成物。
【請求項５】
前記非界面活性剤洗浄活性物質が、アニオン性界面活性剤、セルロースポリマー、ポリカルボキシレートポリマー、汚れ放出ポリマー、増白剤、酵素、又はこれらの混合物を含む、請求項１〜４のいずれか一項に記載の洗剤組成物。
【請求項６】
前記液相が、前記液相の５重量％〜２０重量％、又は更には５重量％〜１５重量％の前記アルコールを含む、請求項１〜５のいずれか一項に記載の洗剤組成物。
【請求項７】
前記液相が、アルキルサルフェートアニオン性界面活性剤、天然若しくは合成的に誘導された脂肪族アルコールエトキシレート非イオン性界面活性剤、又はこれらの混合物を含む、請求項１〜６のいずれか一項に記載の洗剤組成物。
【請求項８】
前記ヒドロキシル含有アミン化合物が、モノエタノールアミン、トリエタノールアミン、及びこれらの混合物を含む群から選択される、請求項１〜７のいずれか一項に記載の洗剤組成物。
【請求項９】
前記組成物の２重量％未満の構造化剤を含み、前記構造化剤が、好ましくは、結晶化可能なグリセリド、セルロース繊維系構造化剤、ＴｉＯ２、シリカ、及びこれらの混合物から選択される、請求項１〜８のいずれか一項に記載の洗剤組成物。
【請求項１０】
前記固相が、２μｍ〜５０μｍの平均粒径分布を有する粒子を含む、請求項１〜９のいずれか一項に記載の洗剤組成物。
【請求項１１】
香料原材料を含み、前記香料原材料が、好ましくは、アルデヒド、ケトン、又はこれらの混合物から選択される、請求項１〜１０のいずれか一項に記載の洗剤組成物。
【請求項１２】
補助成分を含み、前記補助成分が、漂白剤、漂白触媒、染料、色調染料、アルコキシル化ポリアミン及びポリエチレンイミンを含む洗浄ポリマー、界面活性剤、溶媒、移染抑制剤、キレート剤、香料、カプセル化香料、及びこれらの混合物を含む群から選択される、請求項１〜１１のいずれか一項に記載の洗剤組成物。
【請求項１３】
水溶性フィルムと、請求項１〜１２のいずれか一項に記載の洗剤組成物とを含む水溶性単位用量物品であって、前記組成物が、前記組成物の０．５重量％〜１５重量％の水を含む、単位用量物品。
【請求項１４】
前記単位用量物品が、少なくとも２つの区画、又は更には少なくとも３つの区画、又は更には少なくとも４つの区画を含む、請求項１３に記載の単位用量物品。
【請求項１５】
請求項１〜１２のいずれか一項に記載の組成物の製造方法であって、前記固相を添加する工程を含み、前記固相が粒子を含み、前記粒子が５００μｍ未満の平均粒径分布を有する、方法。
【発明の詳細な説明】
【技術分野】
【０００１】
本発明は、液体洗濯洗剤組成物及びその使用方法の分野である。
【背景技術】
【０００２】
平衡相対湿度の低い液体洗濯洗剤組成物は、微生物汚染されにくいという利点を有する。また、水などの不必要な「充填剤」液体の存在を最小限に抑える、いわゆる凝縮型液体が好まれる傾向がある。このような組成物は、不必要な材料を輸送する必要性が少ないため、このような輸送作業の環境への影響が低減されるので、より環境に優しい。
【０００３】
しかし、このような凝縮型組成物は、アニオン性界面活性剤などの洗浄材料の濃度が相対的に高いことから、多くの場合高粘度を有することがある。従来、液体洗濯洗剤組成物の消費者が許容可能な粘度を確保するために、このような組成物ではヒドロキシル含有アミンが使用されてきた。また、製造中に組成物の加工性をもたらすために、許容可能な粘度が必要とされている。ヒドロキシル含有アミンは、多くの場合、直鎖アルキルベンゼンスルホネートなどのアニオン性洗浄界面活性剤のための中和剤として使用される。
【０００４】
しかし、現在、このようなヒドロキシル含有アミンの全体濃度を低下させることが望まれている。
【０００５】
公知の相対湿度の低い洗濯洗剤組成物のヒドロキシル含有アミンの濃度を低下させると、消費者が組成物を正確に注ぎ、投入する能力に負の影響を与える高粘度の組成物が生じることがある。また、製造中にこのような粘性組成物を取り扱うのは困難であるので、組成物の加工性が影響を受ける。
【発明の概要】
【発明が解決しようとする課題】
【０００６】
したがって、より低濃度のヒドロキシル含有アミン化合物を含有するが、消費者が許容可能な及び／又はプロセス許容可能な粘度を呈する、相対湿度の低い液体洗濯洗剤組成物が当該技術分野において必要とされている。
【０００７】
驚くべきことに、上記問題点は、本発明の特定の処方スペース（formulation space）によって克服されることが見出された。以下に記載された処方スペースは、低い相対湿度を有しかつより低濃度のヒドロキシル含有アミン化合物を含むが、許容可能な粘度を有する液体組成物を提供することができる。
【課題を解決するための手段】
【０００８】
また、本発明は、本発明の液体洗濯洗剤組成物であって、
ａ．液相と、
ｂ．当該組成物の１０重量％〜５０重量％の水溶性固相であって、当該固相が、当該固相の少なくとも３０重量％の洗浄活性物質を含み、当該洗浄活性物質が、当該洗浄活性物質の５０重量％〜９０重量％の界面活性剤、及び当該洗浄活性物質の１０重量％〜２０重量％の非界面活性剤洗浄活性物質を含む、水溶性固相と、を含み得、
当該固相が、当該液相内に分散しており、当該水溶性固相が、当該液体洗濯洗剤組成物を１２Ｎ（１２００Ｇ）で１０分間遠心分離したときに得られる固体として定義され、
当該液相が、当該液体の５重量％〜４０重量％の、エチレングリコール、１，３プロパンジオール、１，２プロパンジオール、テトラメチレングリコール、ペンタメチレングリコール、ヘキサメチレングリコール、２，３−ブタンジオール、１，３ブタンジオール、ジエチレングリコール、トリエチレングリコール、ポリエチレングリコール、グリセロールホルマール、ジプロピレングリコール、ポリプロピレングリコール、ジプロピレングリコールｎ−ブチルエーテル、及びこれらの混合物を含む群から選択されるアルコール、好ましくは、１，２プロパンジオール、ジプロピレングリコール、ポリプロピレングリコール、２，３−ブタンジオール、ジプロピレングリコールｎ−ブチルエーテル、及びこれらの混合物を含む群から選択されるアルコールを含み、
当該組成物が、当該組成物の１０重量％〜５０重量％の非アミン中和アニオン性界面活性剤を含み、当該液体洗濯洗剤組成物が、当該液体洗濯洗剤組成物の１０重量％未満のアミン中和アニオン性界面活性剤を含み、
当該組成物が、本明細書に記載された組成物ｅＲＨ試験によって測定したときに２０℃で６５％未満の平衡相対湿度を有し、
当該組成物が、当該組成物の５重量％未満のヒドロキシル含有アミン化合物を含む、液体洗濯洗剤組成物である。
【発明を実施するための形態】
【０００９】
洗濯洗剤組成物
本発明の液体洗濯洗剤組成物は、液相と水溶性固相とを含む。固相は、液相内に分散しており、組成物の１０重量％〜５０重量％、又は更には１０重量％〜４０重量％の水溶性固相を含む。固相は、当該固相の少なくとも３０重量％の洗浄活性物質を含み、当該洗浄活性物質は、当該洗浄活性物質の５０重量％〜９０重量％の界面活性剤及び当該洗浄活性物質の１０重量％〜２０重量％の非界面活性剤洗浄活性物質を含む。好適な界面活性剤及び洗浄活性物質については、以下でより詳細に説明する。固相及び液相については、以下でより詳細に説明する。
【００１０】
好ましくは、液体洗濯洗剤組成物は、１０００ｓ−１の剪断速度で３００ｍＰａ・ｓ〜７００ｍＰａ・ｓ、より好ましくは３５０ｍＰａ・ｓ〜６００ｍＰａ・ｓの粘度を有する。粘度を測定するための例示的な方法は、製造業者の説明書に従って、２０℃で１０００μｍのギャップを使用してＴＡ  ｉｎｓｔｒｕｍｅｎｔｓ製のレオメータＤＨＲ１を使用することである。
【００１１】
本発明の液体洗濯洗剤組成物全体は、事実上液体である。すなわち、たとえ液相内に分散している固相を含んでいようと、当該組成物は、固体又は顆粒状組成物ではなく、液体の性質を有する。本発明の洗濯洗剤組成物に関連して、用語「液体」は、このような分散液、ゲル、ペーストなどの形態を包含する。液体組成物は、好適に細分された形態の気体を含んでもよい。しかし、液体組成物は、錠剤又は顆粒などの全体が非液体である形態を除外する。
【００１２】
用語「液体洗濯洗剤組成物」とは、家庭用洗濯機で布地を濡らし、処理することができる、例えば、衣類を洗浄することができる液体を含む任意の洗濯洗剤組成物を指す。
【００１３】
液体組成物は、単位用量物品に処方され得る。本発明の単位用量物品は、少なくとも１つの区画に液体組成物を完全に封入する水溶性フィルムを含む。好適な単位用量物品については、以下でより詳細に説明する。
【００１４】
液体洗濯洗剤組成物は、完全に処方された消費者製品として使用してもよく、又は１つ以上の更なる成分に添加して、完全に処方された消費者製品を形成してもよい。液体洗濯洗剤組成物は、布地を洗浄液に加える前に、布地、好ましくは布地のしみに加える「前処理」組成物であってもよい。
【００１５】
液体洗濯洗剤組成物は、当該組成物の１０重量％〜５０重量％の非アミン中和アニオン性界面活性剤を含む。好適な非アミン中和アニオン性界面活性剤については、以下でより詳細に説明する。固相内に存在する洗浄剤は、非アミン中和アニオン性界面活性剤を含み得る。固相は、当該固相の少なくとも３０重量％の非アミン中和アニオン性界面活性剤を含み得、液体洗濯洗剤組成物全体では、当該組成物の１０重量％〜５０重量％の非アミン中和アニオン性界面活性剤を含む。あるいは、液相は、非アミン中和アニオン性界面活性剤を含み得、洗浄剤は、非アミン中和アニオン性界面活性剤を含み得、液体洗濯洗剤組成物全体では、当該組成物の１０重量％〜５０重量％の非アミン中和アニオン性界面活性剤を含む。あるいは、液相は、非アミン中和アニオン性界面活性剤を含み得、液体洗濯洗剤組成物全体では、当該組成物の１０重量％〜５０重量％の非アミン中和アニオン性界面活性剤を含む。
【００１６】
液体洗濯洗剤組成物は、当該液体洗濯洗剤組成物の１０重量％未満、又は更には５重量％未満、又は更には２重量未満の、アミン中和アニオン性界面活性剤を含み、当該アニオン性界面活性剤は、好ましくは、直鎖アルキルベンゼンスルホネート、アルキルサルフェート、及びこれらの混合物を含む群から選択される。
【００１７】
液体洗濯洗剤組成物は、当該組成物の０．５重量％〜５０重量％の水を含み、２０℃で６５％未満の平衡相対湿度を有する。
【００１８】
当該組成物は、その組成物の５重量％未満のヒドロキシル含有アミン化合物を含む。好適なアミンについては、以下でより詳細に説明する。
【００１９】
液体洗濯洗剤組成物は、界面活性剤を含み得る。好適な界面活性剤については、以下でより詳細に説明する。
【００２０】
液体洗濯洗剤組成物は、シリカを含み得る。
【００２１】
液体洗濯洗剤組成物は、香料原材料を含み得る。香料原材料は、好ましくは、アルデヒド、ケトン、又はこれらの混合物から選択される。
【００２２】
本発明の液体洗濯洗剤組成物は、補助成分を含み得、当該補助成分は、固相中、液相中、又は両方に存在する。
【００２３】
理論に束縛されるものではないが、ヒドロキシル含有アミン化合物の除去によって、アニオン性界面活性剤などの多数の洗剤成分が溶液から出てくると考えられる。次に、これによって、組成物の粘度が増大する。本発明は、液体内に分散している固体材料として特定の成分が存在するが、液体洗濯洗剤組成物の粘度が管理可能な濃度まで戻る処方スペースである。
【００２４】
更に、ヒドロキシル含有アミンの除去によって、処方が相分離する恐れがある（すなわち、少なくとも２つの明白に異なる相が見えることがある）。本発明は、相分離を最小限に抑えながら、低い相対湿度及びより低濃度のヒドロキシル含有アミン化合物を有する組成物を提供するという更なる効果を提供する。
【００２５】
固相
本発明の液体洗濯洗剤組成物は、水溶性固相を含み、当該固相は、液相に分散している。
【００２６】
「固相」とは、本明細書では、固体である、すなわち、液体ではない任意の材料を意味する。固相は、粒子を含み得る。用語「粒子」は、本明細書ではその最も広い意味で用いられる。用語「粒子」は、結晶、層状液晶、又はこれらの混合物を含み得る。粒子は、２μｍ〜５０μｍの平均粒径分布を有し得る。
【００２７】
「水溶性」とは、本明細書では、最大孔径２０マイクロメートルのガラスフィルターの使用後に本明細書に記載の方法によって測定したとき、固体の少なくとも７５％、又は更には少なくとも８５％、又は更には少なくとも９５％が水に溶解することを意味する。
予め秤量した３Ｌのビーカーに、５グラム±０．１グラムの固体を添加し、２Ｌ±５ｍＬの蒸留水を添加する。これを、６００ｒｐｍに設定した、電磁攪拌器（Ｌａｂｌｉｎｅモデル番号１２５０又は等価物）及び１５ｃｍの電磁式攪拌器上にて、３５℃で３０分間激しく攪拌する。次いで、この混合物を、上に定義した孔径（最大２０マイクロメートル）の折り畳まれた定性焼結ガラスフィルターで濾過する。回収した濾液から任意の従来の方法によって水を乾燥させ、残った材料の重量を測定する（これが溶解又は分散画分である）。次いで、溶解度又は分散度の割合を計算することができる。
【００２８】
水溶性固相は、液体洗濯洗剤組成物を１２Ｎ（１２００Ｇ）で１０分間遠心分離したときに固体画分中に得られた任意の材料からなる。好ましい方法は、以下である。
１．使用前に、遠心分離器（Ｓｉｇｍａ  Ｃｅｎｔｒｉｆｕｇｅ  ６−１５Ｈ、６ポットロータ）を所望の温度に予め加熱する。遠心管をロータにロードするとき、当該遠心管は、常に、正反対の位置に互いに対向して配置しなければならず、試験することができるサンプルの数は、２、３、４及び６である。
２．８５ｍＬのポリカーボネートねじ蓋付き試験管を使用する。各管に５０ｇの材料を充填し、合計質量：管＋蓋＋試験材料を測定した。
３．均一に離間するように遠心分離ロータに管を入れ、ロータカバーをしっかり締結する。遠心管をロータにロードするとき、当該遠心管は、常に、正反対の位置に互いに対向して配置しなければならず、試験することができるサンプルの数は、２、３、４及び６である。
４．遠心分離時間を９０分に設定する。遠心分離器（１７１１９相対遠心分離力まで速度を自動的に徐々に増大させる（分離速度を最大化するためにこの遠心分離器の最大ＲＣＦが用いられる）を起動させる。
５．数回使用後に遠心管に亀裂が入り得るので、９０分の終わりに、なくなった材料がないことを確実に確認するために各管を再計量する。
６．遠心分離の最後に様々な画分を得ることができ、画分の数はサンプルの性質に依存し、固体画分は、最も密度が高く、底部が不透明な画分であり、比較的高粘度である。次いで、管から最上相を簡単に除去することによって、底画分を得ることができる。
【００２９】
水溶性固相は、当該固相の少なくとも３０重量％の洗浄活性物質を含む。固相は、当該固相の少なくとも４０重量％、又は更には少なくとも５０重量％の洗浄活性物質を含み得る。好適な洗浄活性物質については、以下でより詳細に説明する。
【００３０】
液体洗濯洗剤組成物は、当該液体洗濯洗剤組成物の１０重量％〜５０重量％、又は更には１０重量％〜４０重量％の水溶性固相を含む。
【００３１】
固相は、非洗浄活性物質を含み得る。固相は、洗浄活性物質及び非洗浄活性物質を含み得る。非洗浄活性物質としては、審美的若しくは感覚的効果を提供する成分又は充填剤材料として分類されるものが挙げられる。例えば、非洗浄活性物質としては、粘土、香料、香料送達技術、柔軟性技術、顔料、シリコーン、消泡剤、付着促進技術などが挙げられる。充填剤材料は、炭酸塩、硫酸塩ケイ酸塩、又はこれらの混合物などの材料を含み得る。
【００３２】
液相
本発明の液体洗濯洗剤組成物は、固相が分散している液相を含む。
【００３３】
液相は、当該組成物の５重量％〜４０重量％のアルコールを含む。アルコールについては、以下により詳細に説明する。
【００３４】
液相は、アルキルサルフェートアニオン性界面活性剤を含み得る。アルキルサルフェートアニオン性界面活性剤は、アルコキシ化されていてもよく、アルコキシ化されていなくてもよく、又はこれらの混合物であってもよい。アルキルサルフェートアニオン性界面活性剤は、主にＣ１２アルキルサルフェートを含む、Ｃ１０〜Ｃ２０一級分枝鎖及びランダムアルキルサルフェート（ＡＳ）であってよい。あるいは、アルキルサルフェートアニオン性界面活性剤は、Ｃ１０〜Ｃ１８二級（２，３）アルキルサルフェートであってよい。あるいは、アルキルサルフェートアニオン性界面活性剤は、Ｃ１０〜Ｃ１８アルキルアルコキシサルフェート（ＡＥｘＳ）（ｘは１〜３０である）であってよい。あるいは、アルキルサルフェートアニオン性界面活性剤は、全ての上記アルキルサルフェートアニオン性界面活性剤の混合物であってよい。アルキルサルフェートアニオン性界面活性剤についての好適なカチオンの非限定的な例としては、ナトリウム、カリウム、アンモニウム、アミン、及びこれらの混合物が挙げられる。好ましくは、上記の組成物は、当該組成物の５重量％〜３５重量％、又は更には１０重量％〜３０重量％のアルキルサルフェートアニオン性界面活性剤を含む。
【００３５】
液相は、天然又は合成的に誘導された脂肪族アルコールエトキシレート非イオン性界面活性剤を含み得る。好ましい合成的に誘導された脂肪族アルコールエトキシレート非イオン性界面活性剤又はオキソ合成プロセスから誘導されたもの、すなわち、いわゆるオキソ合成非イオン性界面活性剤。上記の組成物は、当該組成物の０重量％〜３０重量％、又は更には０．１重量％〜２５重量％の脂肪族アルコールエトキシレート非イオン性界面活性剤を含み得る。
【００３６】
エトキシ化非イオン性界面活性剤は、例えば、一級及び二級アルコールエトキシレート、特にアルコール１モル当たり平均１〜５０モル、又は更には２０モルのエチレンオキシドでエトキシ化されたＣ８〜Ｃ２０脂肪族アルコール、より特にアルコール１モル当たり平均１〜１０モルのエチレンオキシドでエトキシ化されたＣ１０〜Ｃ１５一級及び二級脂肪族アルコールであってよい。
【００３７】
エトキシ化アルコール非イオン性界面活性剤は、例えば、３〜８モルのエチレンオキシドと、１モルの、９〜１５個の炭素原子を有する一級アルコールとの縮合生成物であり得る。
【００３８】
非イオン性界面活性剤は、式Ｒ（ＥＯ）ｎ（式中、Ｒは、４〜３０個の炭素原子のアルキル鎖を表し、（ＥＯ）は、エチレンオキシドモノマーの１単位を示し、ｎは、０．５〜２０の平均値を有する）の脂肪族アルコールエトキシレートを含み得る。
【００３９】
上記の組成物は、他の非イオン性界面活性剤、好ましくは、天然又は合成非イオン性界面活性剤を含み得る。
【００４０】
アルコール
液相は、当該組成物の５重量％〜４０重量％、又は更には５重量％〜２０重量％、又は更には５重量％〜１５重量％のアルコールを含み、好ましくは、当該アルコールは、２０〜４００の分子量を有し、かつアルコールｅＲＨ試験によって測定したときに２０℃で５０％〜８０％、又は更には５２％〜７５％のｅＲＨを有する。
【００４１】
アルコールｅＲＨ試験は、脱イオン水中８０％アルコールの溶液を調製する工程と、続いて、室温（２０℃＋／−１℃）で、較正したＲｏｔｒｏｎｉｃ  Ｈｙｇｒｏｌａｂ  ｍｅｔｅｒ（深さ１４ｍｍのプラスチックサンプルライナにおいて）にこれを添加する工程と、これを２５分間較正する工程と、最後に、記録されたｅＲＨを測定する工程とを含む。用いたサンプルの体積は、プラスチックサンプルライナを充填するのに十分であった。
【００４２】
「アルコール」とは、本明細書では、全てまとめたとき、それぞれが２０〜４００の分子量を有し、かつアルコールｅＲＨ試験によって測定したときに２０℃で５０％〜８０％の、化合物又は混合物の全体ｅＲＨを有する、単一化合物又は化合物の混合物のいずれかを意味する。理論に束縛されるものではないが、アルコールは、少なくとも１つのＯＨ単位、好ましくはポリオール及びジオール、より好ましくはジオールを含む任意の化合物である。好ましいジオールとしては、グリコールが挙げられる。
【００４３】
アルコールは、エチレングリコール、１，３プロパンジオール、１，２プロパンジオール、テトラメチレングリコール、ペンタメチレングリコール、ヘキサメチレングリコール、２，３−ブタンジオール、１，３ブタンジオール、ジエチレングリコール、トリエチレングリコール、ポリエチレングリコール、グリセロールホルマール、ジプロピレングリコール、ポリプロピレングリコール、ジプロピレングリコールｎ−ブチルエーテル、及びこれらの混合物を含む群から選択され得る。
【００４４】
より好ましくは、アルコールは、エチレングリコール、１，２プロパンジオール、２，３−ブタンジオール、１，３ブタンジオール、トリエチレングリコール、ポリエチレングリコール、グリセロールホルマール、ジプロピレングリコール、ポリプロピレングリコール、ジプロピレングリコールｎ−ブチルエーテル、及びこれらの混合物を含む群から選択され得る。
【００４５】
更により好ましくは、アルコールは、１，２プロパンジオール、ジプロピレングリコール、ポリプロピレングリコール、２，３−ブタンジオール、ジプロピレングリコールｎ−ブチルエーテル、及びこれらの混合物を含む群から選択される。
【００４６】
最も好ましくは、アルコールは、１，２プロパンジオール、ジプロピレングリコール、ポリプロピレングリコール、ジプロピレングリコールｎ−ブチルエーテル、及びこれらの混合物を含む群から選択され得る。
【００４７】
洗浄活性物質
水溶性固相は、当該固相の少なくとも３０重量％の洗浄活性物質を含む。固相は、当該固相の少なくとも４０重量％、又は更には少なくとも５０重量％の洗浄活性物質を含み得る。
【００４８】
「洗浄活性物質」とは、本明細書では、基材、好ましくは布地にある種の洗浄効果を提供する成分を意味する。洗浄活性物質は、単に審美的若しくは感覚的効果を提供する成分も、充填剤材料として分類されるものも含まない。本明細書では、非洗浄活性物質としては、粘土、香料、香料送達技術、柔軟性技術、顔料、シリコーン、消泡剤、付着促進技術などが挙げられる。洗浄活性物質は、リン酸塩及びゼオライトを含まない。
【００４９】
洗浄活性物質は、当該洗浄活性物質の５０重量％〜９０重量％の界面活性剤、及び当該洗浄活性物質の１０重量％〜２０重量％の非界面活性剤洗浄活性物質を含む。
【００５０】
洗浄活性物質中に存在する界面活性剤は、アニオン性界面活性剤を含み得、好ましくは、層状液晶アニオン性界面活性剤を含む。アニオン性界面活性剤は、好ましくは、直鎖アルキルベンゼンスルホネート、アルキルサルフェート、又はこれらの混合物、最も好ましくは、層状液晶アルキルベンゼンスルホネート、層状液晶アルキルサルフェート、又はこれらの混合物を含む。アニオン性界面活性剤は、粒子、好ましくは、噴霧乾燥粒子、粒塊、押出品、又はこれらの混合物から選択される粒子の形態で存在し得る。
【００５１】
「層状液晶」とは、本明細書では、界面活性剤分子が、溶媒の薄層によって分離された溶融状態の界面活性剤の二層の積層体に構築されていることを意味する。この構造は、流動体の観点における液体特性及び構造化の観点における固体特性の両方を有する。この構造は、そのｄ−スペーシング、二層の厚さの合計、及びシート間の溶媒層によって特徴付けられる。この構造の繰り返し及び周期性によって、結晶相に特徴的な急峻なｘ線回折ピークが得られる。洗浄活性物質は、当該洗浄活性物質の少なくとも５０重量％、又は少なくとも７５重量％、又は少なくとも９５重量％のアニオン性界面活性剤、好ましくは、直鎖アルキルベンゼンスルホネート、最も好ましくは層状液晶アルキルベンゼンスルホネートを含み得る。直鎖アルキルベンゼンスルホネートは、好ましくは、アミンで中和されていない。
【００５２】
非アミン中和直鎖アルキルベンゼンスルホネートは、アミン以外の中和物質を用いて、直鎖アルキルベンゼンスルホン酸が、対応する直鎖アルキルベンゼンスルホネートに中和されているものである。このような中和基の非限定的な例としては、ナトリウム、カリウム、アンモニウム、及びこれらの混合物が挙げられる。
【００５３】
洗浄活性物質中に存在する界面活性剤は、アミン中和アニオン性界面活性剤、好ましくは、アミン中和直鎖アルキルベンゼンスルホネート、アミン中和アルキルサルフェート、又はこれらの混合物を含み得る。液体洗濯洗剤組成物は、固相、液相、又は両方にアミン中和アニオン性界面活性剤を含み得る。
【００５４】
例示的な直鎖アルキルベンゼンスルホネートは、Ｃ１０〜Ｃ１６アルキルベンゼンスルホン酸又はＣ１１〜Ｃ１４アルキルベンゼンスルホン酸である。「直鎖」とは、本明細書では、アルキル基が直鎖状であることを意味する。アルキルベンゼンスルホネートは、当該技術分野において周知である。特に有用なのは、アルキル基の炭素原子の平均数が約１１〜１４である、直鎖線状アルキルベンゼンスルホン酸ナトリウム、カリウム、及びマグネシウムである。
【００５５】
洗浄活性物質中に存在する界面活性剤は、アルキルサルフェートアニオン性界面活性剤を含み得る。アルキルサルフェートは、層状液晶アルキルサルフェートを含み得る。アルキルサルフェートアニオン性界面活性剤は、アルコキシ化されていてもよく、アルコキシ化されていなくてもよく、又はこれらの混合物であってもよい。アルキルサルフェートアニオン性界面活性剤は、主にＣ１２アルキルサルフェートを含む、Ｃ１０〜Ｃ２０一級分枝鎖及びランダムアルキルサルフェート（ＡＳ）であってよい。あるいは、アルキルサルフェートアニオン性界面活性剤は、Ｃ１０〜Ｃ１８二級（２，３）アルキルサルフェートであってよい。あるいは、アルキルサルフェートアニオン性界面活性剤は、Ｃ１０〜Ｃ１８アルキルアルコキシサルフェート（ＡＥｘＳ）（ｘは１〜３０である）であってよい。あるいは、アルキルサルフェートアニオン性界面活性剤は、全ての上記アルキルサルフェートアニオン性界面活性剤の混合物であってよい。アルキルサルフェートアニオン性界面活性剤についての好適なカチオンの非限定的な例としては、ナトリウム、カリウム、アンモニウム、アミン、及びこれらの混合物が挙げられる。
【００５６】
非界面活性剤洗浄活性物質は、セルロースポリマー、ポリカルボキシレートポリマー、汚れ放出ポリマー、増白剤、酵素、キレート剤、又はこれらの混合物を含み得る。
【００５７】
非界面活性剤洗浄活性物質は、ポリエステル汚れ放出ポリマーを含み得る。洗浄活性物質は、組成物の少なくとも５重量％のポリエステル汚れ放出ポリマーを含み得る。固相は、当該固相の１重量％〜５重量％、又は更には１重量％〜２重量％の汚れ放出ポリマーを含み得る。液体洗濯洗剤組成物は、当該液体洗濯洗剤組成物の０．５重量％〜２．５重量％、又は更には０．７５重量％〜２重量％のポリエステル汚れ放出ポリマーを含み得る。好適なポリエステル汚れ放出ポリマーは、テレフタレートポリマー、アミンポリマー、又はこれらの混合物から選択され得る。好適なポリエステル汚れ放出ポリマーは、以下の構造（Ｉ）、（ＩＩ）又は（ＩＩＩ）のうちの１つによって定義される構造を有し得、
（Ｉ）−［（ＯＣＨＲ１−ＣＨＲ２）ａ−Ｏ−ＯＣ−Ａｒ−ＣＯ−］ｄ
（ＩＩ）−［（ＯＣＨＲ３−ＣＨＲ４）ｂ−Ｏ−ＯＣ−ｓＡｒ−ＣＯ−］ｅ
（ＩＩＩ）−［（ＯＣＨＲ５−ＣＨＲ６）ｃ−ＯＲ７］ｆ
（式中、
ａ、ｂ及びｃは、１〜２００であり；
ｄ、ｅ及びｆは、１〜５０であり；
Ａｒは、１，４−置換フェニレンであり；
ｓＡｒは、５位がＳＯ３Ｍｅにより置換された１，３−置換フェニレンであり；
Ｍｅは、Ｈ、Ｎａ、Ｌｉ、Ｋ、Ｍｇ／２、Ｃａ／２、Ａｌ／３、アンモニウム、モノ−、ジ−、トリ−若しくはテトラアルキルアンモニウム（アルキル基は、Ｃ１〜Ｃ１８アルキル又はＣ２〜Ｃ１０ヒドロキシアルキルである）、又はこれらの任意の混合物であり；
Ｒ１、Ｒ２、Ｒ３、Ｒ４、Ｒ５、及びＲ６は、独立して、Ｈ又はＣ１〜Ｃ１８  ｎ−若しくはイソ−アルキルから選択され；
Ｒ７は、直鎖若しくは分枝鎖Ｃ１〜Ｃ１８アルキル、又は直鎖若しくは分枝鎖Ｃ２〜Ｃ３０アルケニル、又は５〜９個の炭素原子を有するシクロアルキル基、又はＣ８〜Ｃ３０アリール基、又はＣ６〜Ｃ３０アリールアルキル基である）。
【００５８】
好適なポリエステル汚れ放出ポリマーは、上記の式（Ｉ）又は（ＩＩ）の構造を有するテレフタレートポリマーであり得る。
【００５９】
好適なポリエステル汚れ放出ポリマーとしては、Ｒｅｐｅｌ−ｏ−ｔｅｘ  ＳＦ２（Ｒｈｏｄｉａ）などのＲｅｐｅｌ−ｏ−ｔｅｘシリーズのポリマー及び／又はＴｅｘｃａｒｅ  ＳＲＡ３００（Ｃｌａｒｉａｎｔ）などのＴｅｘｃａｒｅシリーズのポリマーが挙げられる。
【００６０】
好適なアミンポリマーとしては、任意にポリエチレン及び／又はポリプロピレンオキシドブロックを含む、アルコキシル化ポリアルキレンイミンなどのポリエチレンイミンポリマーが挙げられる。
【００６１】
非界面活性剤洗浄活性物質は、セルロースポリマーを含み得る。洗浄活性物質は、組成物の少なくとも５重量％のセルロースポリマーを含み得る。固相は、当該固相の１重量％〜５重量％、又は更には１重量％〜２重量％のセルロースポリマーを含み得る。液体洗濯洗剤組成物は、当該液体洗濯洗剤組成物の０．５重量％〜２．５重量％、又は更には０．７５重量％〜２重量％のセルロースポリマーを含み得る。
【００６２】
セルロースポリマーは、アルキルセルロース、アルキルアルコキシアルキルセルロース、カルボキシアルキルセルロース、アルキルカルボキシアルキル、及びこれらの任意の組み合わせから選択され得る。好適なセルロースポリマーは、カルボキシメチルセルロース、メチルセルロース、メチルヒドロキシエチルセルロース、メチルカルボキシメチルセルロース、及びこれらの混合物から選択される。カルボキシメチルセルロースは、０．５〜０．９のカルボキシメチル置換度及び１００，０００Ｄａ〜３００，０００Ｄａの分子量を有し得る。別の好適なセルロースポリマーは、Ｆｉｎｎｆｉｘ  ＳＨ−１（ＣＰ  Ｋｅｌｃｏ）などの疎水変性カルボキシメチルセルロースである。
【００６３】
他の好適なセルロースポリマーは、０．０１〜０．９９の置換度（ＤＳ）と、ＤＳ＋ＤＢが少なくとも１．００であるか又はＤＢ＋２ＤＳ−ＤＳ２が少なくとも１．２０であるようなブロック度（ＤＢ）とを有し得る。置換セルロースポリマーは、少なくとも０．５５の置換度（ＤＳ）を有し得る。置換セルロースポリマーは、少なくとも０．３５のブロック度（ＤＢ）を有し得る。置換セルロースポリマーは、１．０５〜２．００のＤＳ＋ＤＢを有し得る。好適な置換セルロースポリマーは、カルボキシメチルセルロースである。
【００６４】
非界面活性剤洗浄活性物質は、増白剤を含み得る。洗浄活性物質は、組成物の少なくとも５重量％の増白剤を含み得る。固相は、当該固相の１重量％〜５重量％、又は更には１重量％〜２重量％の増白剤を含み得る。液体洗濯洗剤組成物は、当該液体洗濯洗剤組成物の０．５重量％〜２．５重量％、又は更には０．７５重量％〜２重量％の増白剤を含み得る。増白剤は、増白剤１５などのスチルベンを含み得る。他の好適な増白剤は、疎水性増白剤及び増白剤４９である。増白剤は、３〜５０マイクロメートル、又は３マイクロメートル〜３０マイクロメートル、又は３〜２０マイクロメートルの範囲内の重量平均粒径を有する微粉化粒子形態であってもよい。増白剤は、α又はβ結晶形態であってよい。
【００６５】
好適な増白剤としては、ジスチリルビフェニル化合物、例えば、Ｔｉｎｏｐａｌ（登録商標）ＣＢＳ−Ｘ、ジアミノスチルベンジスルホン酸化合物、例えば、Ｔｉｎｏｐａｌ（登録商標）ＤＭＳ  ｐｕｒｅ  Ｘｔｒａ及びＢｌａｎｋｏｐｈｏｒ（登録商標）ＨＲＨ、並びにピラゾリン化合物、例えば、Ｂｌａｎｋｏｐｈｏｒ（登録商標）ＳＮ、並びにクマリン化合物、例えば、Ｔｉｎｏｐａｌ（登録商標）ＳＷＮが挙げられる。
【００６６】
好ましい増白剤は、ナトリウム２（４−スチリル−３−スルホフェニル）−２Ｈ−ナフトール［１，２−ｄ］トリアゾール、二ナトリウム４，４’−ビス｛［（４−アニリノ−６−（Ｎメチル−Ｎ−２ヒドロキシエチル）アミノ１，３，５−トリアジン−２−イル）］；アミノ｝スチルベン−２−２’ジスルホネート、二ナトリウム４，４’−ビス｛［（４−アニリノ−６−モルホリノ−１，３，５−トリアジン−２−イル）］アミノ｝スチルベン−２−２’ジスルホネート、及び二ナトリウム４，４’−ビス（２−スルホスチリル）ビフェニルである。好適な蛍光増白剤は、そのβ又はα結晶質形態で用いることができるＣ．Ｉ．蛍光増白剤２６０、又はこれら形態の混合物である。
【００６７】
非界面活性剤洗浄活性物質は、酵素を含み得る。洗浄活性物質は、組成物の少なくとも５重量％の酵素を含み得る。固相は、当該固相の１重量％〜５重量％、又は更には１重量％〜２重量％の酵素を含み得る。液体洗濯洗剤組成物は、当該液体洗濯洗剤組成物の０．５重量％〜２．５重量％、又は更には０．７５重量％〜２重量％の酵素を含み得る。酵素は、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ及びアミラーゼ、又はこれらの混合物を含む群から選択され得る。典型的な組み合わせは、プロテアーゼ、リパーゼ、クチナーゼ及び／又はセルラーゼのような従来の適用可能な酵素をアミラーゼと組み合わせた混液である。
【００６８】
非界面活性剤洗浄活性物質は、キレート剤を含み得る。上記の組成物は、本明細書の組成物の約０．１重量％〜約１５重量％、又は更には本明細書の組成物の約３重量％〜約１５重量％のキレート剤を含み得る。好適なキレート剤は、ジエチレントリアミン五酢酸、ジエチレントリアミンペンタ（メチルホスホン酸）、エチレンジアミン−Ｎ’Ｎ’−二コハク酸、エチレンジアミン四酢酸、エチレンジアミンテトラ（メチレンホスホン酸）、ヒドロキシエタンジ（メチレンホスホン酸）、及びこれらの任意の組み合わせから選択され得る。好適なキレート剤は、エチレンジアミン−Ｎ’Ｎ’−二コハク酸（ＥＤＤＳ）及び／又はヒドロキシエタンジホスホン酸（ＨＥＤＰ）である。洗濯洗剤組成物は、エチレンジアミン−Ｎ’Ｎ’−二コハク酸又はその塩を含み得る。エチレンジアミン−Ｎ’Ｎ’−二コハク酸は、Ｓ，Ｓエナンチオマー形態であってよい。上記の組成物は、４，５−ジヒドロキシ−ｍ−ベンゼンジスルホン酸二ナトリウム塩、グルタミン酸−Ｎ，Ｎ−二酢酸（ＧＬＤＡ）、及び／又はこれらの塩、２−ヒドロキシピリジン−１−オキシド、Ｔｒｉｌｏｎ  Ｐ（商標）（ＢＡＳＦ（Ｌｕｄｗｉｇｓｈａｆｅｎ，Ｇｅｒｍａｎｙ）から入手可能）を含み得る。
【００６９】
キレート剤は、炭酸カルシウム結晶成長阻害剤としても作用し得る。好適な炭酸カルシウム結晶成長阻害剤は、１−ヒドロキシエタンジホスホン酸（ＨＥＤＰ）及びその塩、Ｎ，Ｎ−ジカルボキシメチル−２−アミノペンタンー１，５−二酸及びその塩、２−ホスホノブタンー１，２，４−トリカルボン酸及びその塩；並びにこれらの任意の組み合わせからなる群から選択され得る。
【００７０】
非界面活性剤洗浄活性物質は、ポリカルボキシレートポリマーを含み得る。洗浄活性物質は、組成物の少なくとも５重量％のポリカルボキシレートポリマーを含み得る。固相は、当該固相の１重量％〜５重量％、又は更には１重量％〜２重量％のポリカルボキシレートポリマーを含み得る。液体洗濯洗剤組成物は、当該液体洗濯洗剤組成物の０．５重量％〜２．５重量％、又は更には０．７５重量％〜２重量％のポリカルボキシレートを含み得る。
【００７１】
ポリカルボキシレートポリマーは、マレエート／アクリレートランダムコポリマー又はポリアクリレートホモポリマーを含み得る。好適なポリカルボキシレートポリマーとしては、４，０００Ｄａ〜９，０００Ｄａの分子量を有するポリアクリレートホモポリマー、５０，０００Ｄａ〜１００，０００Ｄａ又は６０，０００Ｄａ〜８０，０００Ｄａの分子量を有するマレエート／アクリレートランダムコポリマーが挙げられる。
【００７２】
別の好適なポリカルボキシレートポリマーは、以下を含むコポリマーである：（ｉ）５０〜９８重量％未満の、カルボキシル基を含む１つ以上のモノマーから誘導された構造単位；（ｉｉ）１〜４９重量％未満の、スルホネート部分を含む１つ以上のモノマーから誘導された構造単位；並びに（ｉｉｉ）１〜４９重量％の、式（Ｉ）及び（ＩＩ）によって表されるエーテル結合含有モノマーから選択される１種以上のモノマーから誘導された構造単位：
【００７３】
【化１】
2018516305.tif 000002
（式（Ｉ）中、Ｒ０は、水素原子又はＣＨ３基を表し、Ｒは、ＣＨ２基、ＣＨ２ＣＨ２基、又は単結合を表し、Ｘは、０〜５の数を表すが、ただし、Ｘは、Ｒが単結合である場合、１〜５の数を表し、Ｒ１は、水素原子又はＣ１〜Ｃ２０有機基である）；
【００７４】
【化２】
2018516305.tif 000003
（式（ＩＩ）中、Ｒ０は、水素原子又はＣＨ３基を表し、Ｒは、ＣＨ２基、ＣＨ２ＣＨ２基、又は単結合を表し、Ｘは、０〜５の数を表し、Ｒ１は、水素原子又はＣ１〜Ｃ２０有機基である）。
【００７５】
ポリマーは、少なくとも５０ｋＤａ、又は更には少なくとも７０ｋＤａの重量平均分子量を有することが好ましい場合がある。
【００７６】
アミン
洗剤組成物は、当該組成物の５重量％未満のヒドロキシル含有アミン化合物、又は更には当該組成物の０．１重量％〜５重量％、又は更には０．１重量％〜４重量％のヒドロキシル含有アミン化合物を含む。「ヒドロキシル含有アミン化合物」とは、本明細書では、アルコール（ＯＨ）基及びアミン基を含む化合物を意味する。ヒドロキシル含有アミン化合物は、モノエタノールアミン、トリエタノールアミン、ジイソプロパノールアミン、トリイソプロパノールアミン、モノアミノヘキサノール、２−［（２−メトキシエチル）メチルアミノ］−エタノール、プロパノールアミン、Ｎ−メチルエタノールアミン、ジエタノールアミン、モノブタノールアミン、イソブタノールアミン、モノペンタノールアミン、１−アミノ−３−（２−メトキシエトキシ）−２−プロパノール、２−メチル−４−（メチルアミノ）−２−ブタノール、６−アミノ−１−ヘキサノール、ヘプタミノール、イソエタリン、ノルエピネフリン、スフィンゴシン、フェニルプロパノールアミン、及びこれらの混合物から選択され得る。
【００７７】
ヒドロキシル含有アミン化合物は、モノエタノールアミン、トリエタノールアミン、及びこれらの混合物を含む群から選択され得る。
【００７８】
好ましくは、ヒドロキシル含有アミン化合物は、５００未満、又は更には２５０未満の分子量を有する。
【００７９】
洗剤組成物は、他のアミン含有化合物を含み得る。
【００８０】
好適なアミンとしては、ジアミンが挙げられる。本明細書で有用なジアミンは、以下の構造によって定義することができる：
【００８１】
【化３】
2018516305.tif 000004
（式中、Ｒ２〜５は、独立して、Ｈ、メチル、−ＣＨ３ＣＨ２、及びエチレンオキシドから選択され、Ｃｘ及びＣｖは、独立して、メチレン基又は分枝鎖アルキル基から選択され（ｘ＋ｙは、約３〜約６である）、Ａは、任意に存在し、かつジアミンのｐＫａを所望の範囲に調整するために選択される電子供与又は求引部分から選択される）。Ａが存在する場合、ｘ及びｙは、いずれも１以上でなければならない。
【００８２】
ジアミンは、４００ｇ／モル以下の分子量を有する有機ジアミンであり得る。これらジアミンは、以下の式を有することが好ましい：
【００８３】
【化４】
2018516305.tif 000005
（式中、各Ｒ６は、独立して、水素、Ｃ１〜Ｃ４直鎖又は分枝鎖アルキル、以下の式を有するアルキレンオキシからなる群から選択され、
【００８４】
【化５】
2018516305.tif 000006
式中、Ｒ７は、Ｃ２〜Ｃ４直鎖又は分枝鎖アルキレン、及びこれらの混合物であり、Ｒ８は、水素、Ｃ１〜Ｃ４アルキル、及びこれらの混合物であり、ｍは、１〜約１０であり、Ｘは、
ｉ）Ｃ３〜Ｃ１０直鎖アルキレン、Ｃ３〜Ｃ１０分枝鎖アルキレン、アルキレンオキシアルキレンであって、
以下の式を有するもの：
【００８５】
【化６】
2018516305.tif 000007
（式中、Ｒ７及びｍは、本明細書で上に定義したものと同じである）、
ｉｉ）Ｃ３〜Ｃ１０直鎖アルキレン、Ｃ３〜Ｃ１０分枝鎖直鎖アルキレン、Ｃ６〜Ｃ１０アリーレン（上記の単位は、約８を超えるｐＫａを有する上記のジアミンを提供する１つ以上の電子供与又は電気求引部分を含む）、並びに
ｉｉｉ）（ｉ）及び（ｉｉ）の混合物、
から選択される単位であるが、ただし、上記のジアミンは、少なくとも約８のｐＫａを有する）。
【００８６】
好ましいジアミンの例としては、ジメチルアミノプロピルアミン、１，６−ヘキサンジアミン、１，３プロパンジアミン、２−メチル１，５ペンタンジアミン（商標名Ｄｙｔｅｃ  Ａとして入手可能）、１，３−ペンタンジアミン（商標名Ｄｙｔｅｋ  ＥＰとして入手可能）、１，３ジアミノブタン、１，２−ビス（２−アミノエトキシ）エタン（商標名Ｊｅｆｆａｍｉｎｅ  ＥＤＲ  １４８として入手可能）、及びこれらの混合物が挙げられる。
【００８７】
アミンは、トリアミンを含み得る。特に好ましいジアミン又はトリアミンは、親油性である有機ポリエーテルアミン組成物であり得る。これらジアミンは、式Ｉ若しくはＩＩ、又はこれらの混合物を有することが好ましい：
【００８８】
【化７】
2018516305.tif 000008
（式中、Ｒ１〜Ｒ１２は、それぞれ独立して、Ｈ、アルキル、シクロアルキル、アリール、アルキルアリール又はアリールアルキルから選択され、Ｒ１〜Ｒ６のうちの少なくとも１つ及びＲ７〜Ｒ１２のうちの少なくとも１つは、Ｈとは異なり、Ａ１〜Ａ９は、それぞれ独立して、２〜１８個の炭素原子を有する直鎖又は分枝鎖アルキレンから選択され、Ｚ１〜Ｚ４は、それぞれ独立して、ＯＨ又はＮＨ２から選択され、Ｚ１〜Ｚ２のうちの少なくとも１つ及びＺ３〜Ｚ４のうちの少なくとも１つは、ＮＨ２であり、ｘ＋ｙの合計は、約２〜約２００の範囲内であり、ｘ≧１かつｙ≧１であり、ｘ１＋ｙ１の合計は、約２〜約２００の範囲内であり、ｘ１≧１かつｙ１≧１である）。
【００８９】
好ましい親油性ジアミンの例としては、以下が挙げられる：
【００９０】
【化８】
2018516305.tif 000009
【００９１】
好ましいトリアミンは、親油性である有機ポリエーテルアミン組成物であり得る。これらトリアミンは、式ＩＩＩを有することが好ましい：
【００９２】
【化９】
2018516305.tif 000010
（式中、Ｒは、Ｈ又はＣ１〜Ｃ６アルキル基から選択され、ｋ１、ｋ２及びｋ３は、それぞれ独立して、０、１、２、３、４、５又は６から選択され、Ａ１、Ａ２、Ａ３、Ａ４、Ａ５及びＡ６は、それぞれ独立して、約２〜約１８個の炭素原子を有する直鎖若しくは分枝鎖アルキレン基、又はこれらの混合物から選択され、ｘ≧１、ｙ≧１かつｚ≧１であり、ｘ＋ｙ＋ｚの合計は、約３〜約１００の範囲内であり、Ｚ１、Ｚ２及びＺ３は、それぞれ独立して、ＮＨ２又はＯＨから選択され、Ｚ１、Ｚ２及びＺ３のうちの少なくとも２つは、ＮＨ２である）。
【００９３】
好ましい親油性トリアミンの例は、以下である。
【００９４】
【化１０】
2018516305.tif 000011
【００９５】
構造化剤
本発明の組成物は、当該組成物の２重量％未満の構造化剤を含み得る。構造化剤が存在する場合、好ましくは、当該組成物は、０．０５重量％〜２重量％、好ましくは０．１重量％〜１重量％の構造化剤を含む。構造化剤は、非ポリマー構造化剤又はポリマー構造化剤から選択され得る。構造化剤は、非ポリマー構造化剤、好ましくは、結晶化可能なグリセリドであり得る。構造化剤は、ポリマー構造化剤、好ましくは、繊維系ポリマー構造化剤、より好ましくは、セルロース繊維系構造化剤であり得る。構造化剤は、結晶化可能なグリセリド、セルロース繊維系構造化剤、ＴｉＯ２、シリカ、及びこれらの混合物から選択され得る。
【００９６】
好適な構造化剤は、好ましくは、十分な降伏応力又は低剪断粘度を付与して、組成物の洗浄性界面活性剤の任意の構造化効果とは独立に、すなわち、当該効果以外によって液体洗濯洗剤組成物を安定化させる成分である。好ましくは、構造化剤は、２１℃、２０ｓｅｃ−１で１〜１５００ｃｐｓの高剪断粘度、及び５０００ｃｐｓを超える低剪断粘度（２１℃、０．０５ｓｅｃ−１）を洗濯洗剤組成物に付与する。粘度は、直径４０ｍｍの平板鋼製スピンドル及びギャップサイズ５００μｍを用いて、ＴＡ  ｉｎｓｔｒｕｍｅｎｔｓ製のＡＲ  ５５０レオメータを使用して測定される。２０ｓ−１における高剪断粘度及び０．５ｓ−１における低剪断粘度は、２１℃で３分間の対数剪断速度掃引０．１−１〜２５−１から得ることができる。
【００９７】
上記の組成物は、非ポリマー結晶質ヒドロキシル官能性構造化剤を含み得る。このような非ポリマー結晶質ヒドロキシル官能性構造化剤は、一般に、結晶化可能なグリセリドを含み、これは、最終的な液体洗濯洗剤組成物への分散を支援するために予め乳化しておいてもよい。このような予め乳化された外部構造剤系の非限定的な例は、（ａ）結晶化可能なグリセリド；（ｂ）アニオン性界面活性剤；及び（ｃ）水、並びに任意に非アミノ官能性有機溶媒を含む。これら各構成成分については、以下に詳細に論じる。
【００９８】
構造化剤は、結晶化可能なグリセリド、好ましくは、硬化ヒマシ油、すなわち「ＨＣＯ」を含むポリマー結晶質ヒドロキシ官能性構造化剤であってよい。ＨＣＯは、本明細書で使用するとき、最も一般的には、非ポリマー結晶質ヒドロキシ官能性構造化剤プレミックスにおいて結晶化することができる限り、任意の硬化ヒマシ油又はその誘導体であってよい。ヒマシ油としては、ヒドロキシル基を組み込むＣ１０〜Ｃ２２アルキル又はアルケニル部分を含む、グリセリド、特にトリグリセリドを挙げることができる。ＨＣＯを生成するために、ヒマシ油を水素化して、出発油中にリシノレイル部分として存在し得る二重結合を変換する。その結果、リシノレイル部分は、飽和ヒドロキシアルキル部分、例えば、ヒドロキシステアリルに変換される。本明細書におけるＨＣＯは、トリヒドロキシステアリン、ジヒドロキシステアリン、及びこれらの混合物から選択され得る。ＨＣＯは、固形、溶融物、及びこれらの混合物から選択されるものが挙げられるが、これらに限定されない任意の好適な出発形態で加工することができる。ＨＣＯは、典型的には、外部構造化系中に２重量％〜１０重量％、３重量％〜８重量％、又は４重量％〜６重量％の濃度で存在する。完成した洗濯洗剤製品に送達される硬化ヒマシ油の対応する百分率は、１．０％未満、典型的には０．１％〜０．８％であってよい。ＨＣＯは、洗濯洗剤組成物の０．０１重量％〜１重量％、又は更には０．０５重量％〜０．８重量％の濃度で存在し得る。
【００９９】
本発明で使用するＨＣＯとしては、市販されているものが挙げられる。本発明で使用する市販のＨＣＯの非限定的な例としては、Ｒｈｅｏｘ，Ｉｎｃ．製のＴＨＩＸＣＩＮ（登録商標）が挙げられる。有用なＨＣＯの更なる例は、米国特許第５，３４０，３９０号に見出すことができる。
【０１００】
硬化ヒマシ油の使用が好ましいが、任意の結晶化可能なグリセリドを本発明の範囲内で使用することができる。好ましい結晶化可能なグリセリドは、４０℃〜１００℃の融点を有する。
【０１０１】
構造化剤は、繊維系構造化剤を含み得る。構造化剤は、典型的には高いアスペクト比（長さの断面寸法に対する比）を有する、ナノサイズのセルロースフィブリルから構成される材料であるミクロフィブリル化セルロース（ＭＦＣ）を含み得る。典型的な横方向寸法は、１〜１００又は５〜２０ナノメートルであり、長手方向寸法は、ナノメートル〜数マイクロメートルの広範囲にわたる。構造化の改善のために、ミクロフィブリル化セルロースは、好ましくは、５０〜２００，０００、より好ましくは、１００〜１０，０００の平均アスペクト比（ｌ／ｄ）を有する。ミクロフィブリル化セルロースは、細菌セルロース、柑橘類繊維、及び植物（例えば、テンサイ、チコリー根、ジャガイモ、ニンジンなど）を含む任意の好適な供給源に由来し得る。
【０１０２】
構造化剤は、二酸化チタン、二酸化スズ、修飾ＴｉＯ２の任意の形態、ＴｉＯ２又は酸化第二スズ、オキシ塩化ビスマス又はオキシ塩化ビスマスでコーティングされたＴｉＯ２、シリカでコーティングされたＴｉＯ２又は金属酸化物でコーティングされたＴｉＯ２、及びこれらの混合物からなる群から選択され得る。修飾ＴｉＯ２は、炭素修飾ＴｉＯ２、金属ドープＴｉＯ２、又はこれらの混合物を含み得る。金属ドープＴｉＯ２は、白金ドープＴｉＯ２、ロジウムドープＴｉＯ２から選択され得る。
【０１０３】
構造化剤は、シリカを含み得る。当業者は、使用するのに好適なシリカ物質を理解している。シリカは、ヒュームドシリカを含み得る。
【０１０４】
水及び平衡相対湿度
液体洗濯洗剤組成物は、当該組成物の０．５重量％〜５０重量％の水を含み得る。液体洗濯洗剤組成物は、当該組成物の０．５重量％〜３０重量％、又は更には０．５重量％〜１５重量％の水を含み得る。
【０１０５】
液体洗濯洗剤組成物の平衡相対湿度は、２０℃で６５％未満であり得る。
【０１０６】
当該組成物のｅＲＨを測定するのに好ましい方法は、組成物ｅＲＨ試験を介するものである。組成物ｅＲＨ試験は、室温（２０℃＋／−１℃）で、較正されたＲｏｔｒｏｎｉｃ  Ｈｙｇｒｏｌａｂ  ｍｅｔｅｒ（深さ１４ｍｍのプラスチックサンプルライナにおいて）に当該組成物のサンプルを添加する工程と、これを２５分間較正する工程と、最後に、記録されたｅＲＨを測定する工程とを含む。用いたサンプルの体積は、プラスチックサンプルライナを充填するのに十分であった。
【０１０７】
補助剤成分
液体洗濯洗剤組成物は、補助成分を含み得る。補助成分は、漂白剤、漂白触媒、染料、色調染料、アルコキシル化ポリアミン及びポリエチレンイミンを含む洗浄ポリマー、界面活性剤、溶媒、移染抑制剤、香料、カプセル化香料、及びこれらの混合物を含む群から選択され得る。
【０１０８】
色調染料：液体洗濯洗剤組成物は、色調染料を含み得る。本洗濯ケア組成物で使用される色調染料は、ポリマー若しくは非ポリマー染料、色素、又はこれらの混合物を含み得る。好ましくは、色調染料は、発色団成分とポリマー成分とを含むポリマー染料を含む。発色団成分は、光に曝露すると、青、赤、スミレ色、紫、又はこれらの組み合わせの波長域の光を吸収することを特徴とする。一態様では、発色団成分は、水及び／又はメタノール中で最大約５２０ナノメートル〜約６４０ナノメートルの吸収スペクトルを示し、別の態様では、水及び／又はメタノール中で約５６０ナノメートル〜約６１０ナノメートルの吸収スペクトルを示す。
【０１０９】
任意の好適な発色団を使用することができるが、染料発色団は、好ましくは、ベンゾジフラン、メチン、トリフェニルメタン、ナフタルイミド、ピラゾール、ナフトキノン、アントラキノン、アゾ、オキサジン、アジン、キサンテン、トリフェノジオキサジン及びフタロシアニンの染料発色団から選択される。モノ及びジアゾ染料発色団が好ましい。
【０１１０】
色調染料は、少なくとも３つの連続する繰り返し単位のうちの１つ以上に共有結合した発色団を含む染料ポリマーを含み得る。繰り返し単位自体は、発色団を含む必要がないということを理解すべきである。染料ポリマーは、少なくとも５個、少なくとも１０個、又は更には少なくとも２０個の連続する繰り返し単位を含み得る。
【０１１１】
繰り返し単位は、例えば、オキシアルキレンオキシ及びポリオキシアルキレンオキシと組み合わせられたフェニルジカルボキシレートなどの有機エステルに由来し得る。繰り返し単位は、アルケン、エポキシド、アジリジン、及び変性セルロースを含む単位を含む炭水化物に由来し得、当該変性セルロースは、例えば、ヒドロキシアルキルセルロース；ヒドロキシプロピルセルロース；ヒドロキシプロピルメチルセルロース；ヒドロキシブチルセルロース；及びヒドロキシブチルメチルセルロース、又はこれらの混合物である。繰り返し単位は、アルケン若しくはエポキシド、又はこれらの混合物に由来し得る。繰り返し単位は、好ましくはＣ２〜Ｃ４アルキレンオキシドに由来する、時にアルコキシ基と呼ばれるＣ２〜Ｃ４アルキレンオキシ基であり得る。繰り返し単位は、Ｃ２〜Ｃ４アルコキシ基、好ましくはエトキシ基であり得る。
【０１１２】
本発明の目的に関して、少なくとも３つの連続する繰り返し単位が、ポリマー成分を形成する。ポリマー成分は、直接又は連結基を介して間接的に、発色団基に共有結合し得る。好適なポリマー成分の例としては、複数の繰り返し単位を有するポリオキシアルキレン鎖が挙げられる。一態様では、ポリマー成分は、２個〜約３０個の繰り返し単位、２個〜約２０個の繰り返し単位、２個〜約１０個の繰り返し単位、又は更には約３個若しくは４個〜約６個の繰り返し単位を有するポリオキシアルキレン鎖を含む。ポリオキシアルキレン鎖の非限定的な例としては、エチレンオキシド、プロピレンオキシド、グリシドールオキシド、ブチレンオキシド、及びこれらの混合物が挙げられる。
【０１１３】
水溶性パウチ
液体洗濯洗剤組成物は、水溶性単位用量物品内に存在し得、当該組成物は、当該組成物の０．５重量％〜１５重量％、好ましくは０．５重量％〜１２重量％、より好ましくは０．５重量％〜１０重量％の水を含む。このような実施形態では、水溶性単位用量物品は、単位用量物品が水溶性フィルムによって包囲された少なくとも１つの内部区画を含むような形状の少なくとも１枚の水溶性フィルムを含む。少なくとも１つの区画は、液体洗濯洗剤組成物を含む。水溶性フィルムは、保管中に液体洗濯洗剤組成物が区画から漏れ出さないように封止される。しかし、水溶性単位用量物品を水に添加すると、水溶性フィルムが溶解して、内部区画の内容物が洗浄液中へと放出される。
【０１１４】
区画は、組成物を保持する、単位用量物品内の閉じた内部空間を意味すると理解されるべきである。好ましくは、単位用量物品は水溶性フィルムを含む。単位用量物品は、水溶性フィルムが組成物を完全に取り囲み、それによって組成物が存在する区画が画定されるように製造される。単位用量物品は、２枚のフィルムを含んでよい。第１のフィルムは、組成物が添加される開放された区画を含むような形状であってよい。次いで、区画の開口部を閉じるような配向で第１のフィルムを第２のフィルムで覆う。次いで、封止領域に沿って第１及び第２のフィルムを互いに封止する。フィルムについては、以下により詳細に説明する。
【０１１５】
単位用量物品は、２つ以上の区画、更には少なくとも２つの区画、又は更には少なくとも３つの区画を含んでよい。区画は、重ね合わせ配向、すなわち、一方が他方の上に位置するように配置してよい。あるいは、区画は、並列配向、すなわち、一方が他方に隣接するように位置してもよい。更に、区画は、「タイヤとリム」の配置で配向してもよく、すなわち、第１の区画が第２の区画に隣接して位置するが、第１の区画が第２の区画を少なくとも部分的に取り囲むが、第２の区画を完全には封入しない。あるいは、１つの区画が別の区画内に完全に封入されていてもよい。
【０１１６】
単位用量物品が少なくとも２つの区画を含む場合、区画の一方が他方の区画よりも小さくてよい。単位用量物品が少なくとも３つの区画を含む場合、区画のうちの２つが第３の区画よりも小さくてよく、好ましくは、小さい方の区画が大きい方の区画の上に重ね合わせられてよい。重ね合わせられた区画は、好ましくは、並列に配向される。
【０１１７】
多区画配向では、本発明に係る組成物が、区画のうちの少なくとも１つに含まれ得る。例えば、上記の組成物は、１つの区画内のみに含まれていてもよく、又は２つの区画若しくは更には３つの区画に含まれていてもよい。
【０１１８】
本発明のフィルムは、水溶性又は水分散性である。水溶性フィルムは、好ましくは２０〜１５０マイクロメートル、好ましくは３５〜１２５マイクロメートル、更により好ましくは５０〜１１０マイクロメートル、最も好ましくは約７６マイクロメートルの厚さを有する。
【０１１９】
好ましくは、最大孔径２０マイクロメートルのガラスフィルターの使用後に本明細書に記載の方法によって測定したとき、フィルムは、少なくとも５０％、好ましくは少なくとも７５％、又は更には少なくとも９５％の水溶性を有する。
【０１２０】
予め秤量した３Ｌのビーカーに、５グラム±０．１グラムのフィルム材料を添加し、２Ｌ±５ｍＬの蒸留水を添加する。これを、６００ｒｐｍに設定した、電磁攪拌器（Ｌａｂｌｉｎｅモデル番号１２５０又は等価物）及び５ｃｍの電磁式攪拌器上にて、３０℃で３０分間激しく攪拌する。次いで、この混合物を、上に定義した孔径（最大２０マイクロメートル）の折り畳まれた定性焼結ガラスフィルターで濾過する。回収した濾液から任意の従来の方法によって水を乾燥させ、残った材料の重量を測定する（これが溶解又は分散画分である）。次いで、溶解度又は分散度の割合を計算することができる。
【０１２１】
好ましいフィルム材料は、好ましくは、ポリマー材料である。フィルム材料は、当該技術分野において既知であるとおり、例えば、ポリマー材料の注型成形、吹込成形、押出成形又は吹込押出成形によって得ることができる。
【０１２２】
パウチ材料として使用するのに好適な好ましいポリマー、コポリマー、又はこれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリ酢酸ビニル、ポリカルボン酸及び塩、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、任意の重量平均分子量を有していてよく、好ましくは、約１０００〜１，０００，０００、より好ましくは、約１０，０００〜３００，０００、更により好ましくは、約２０，０００〜１５０，０００である。
【０１２３】
ポリマー混合物をパウチ材料として使用してもよい。これは、その用途及び必要とされるニーズに応じて、区画又はパウチの機械的特性及び／又は溶解特性を制御するのに有益であり得る。好適な混合物としては、例えば、あるポリマーが別のポリマーよりも高い水溶性を有し、及び／又はあるポリマーが別のポリマーよりも高い機械強度を有する混合物が挙げられる。異なる重量平均分子量を有するポリマーの混合物、例えば、約１０，０００〜４０，０００、好ましくは２０，０００前後の重量平均分子量のＰＶＡ又はそのコポリマーと、約１００，０００〜３００，０００、好ましくは１５０，０００前後の重量平均分子量のＰＶＡ又はそのコポリマーとの混合物も好適である。ポリマーブレンド組成物、例えば、加水分解によって分解可能でありかつ水溶性であるポリマーブレンド（例えば、典型的には約１〜３５重量％のポリラクチド及び約６５重量％〜９９重量％のポリビニルアルコールを含む、ポリラクチド及びポリビニルアルコールを混合することによって得られる、ポリラクチド及びポリビニルアルコール）を含むポリマーブレンド組成物も本明細書において好適である。本明細書に用いるのに好ましいのは、材料の溶解特性を改善するために約６０％〜約９８％加水分解された、好ましくは約８０％〜約９０％加水分解されたポリマーである。
【０１２４】
好ましいフィルムは、冷水、すなわち、加熱されていない蒸留水中で良好な溶解を呈するものである。好ましくは、このようなフィルムは、２４℃、更により好ましくは１０℃で良好な溶解を呈する。良好な溶解とは、上記のとおり、最大孔径２０マイクロメートルのガラスフィルターの使用後に本明細書に記載の方法によって測定したとき、フィルムが、少なくとも５０％、好ましくは少なくとも７５％、又は更には少なくとも９５％の水溶性を呈することを意味する。
【０１２５】
好ましいフィルムは、Ｍｏｎｏｓｏｌによって商品参照番号Ｍ８６３０、Ｍ８９００、Ｍ８７７９、Ｍ８３１０として供給されているものである。
【０１２６】
本明細書に記載のフィルム中の全ＰＶＡ樹脂含有量のうち、ＰＶＡ樹脂は、約３０〜約８５重量％の第１のＰＶＡポリマー、又は約４５〜約５５重量％の第１のＰＶＡポリマーを含み得る。例えば、ＰＶＡ樹脂は、各ＰＶＡポリマーを約５０重量％含有し得、第１のＰＶＡポリマーの粘度は約１３ｃＰであり、第２のＰＶＡポリマーの粘度は約２３ｃＰである。
【０１２７】
当然のことながら、異なるフィルム材料及び／又は異なる厚さのフィルムを、本発明の区画の作製に用いてよい。異なるフィルムを選択する利点は、得られる区画が異なる溶解性、すなわち放出特性を呈し得る点である。
【０１２８】
また、本明細書のフィルム材料は、１つ以上の添加剤成分を含んでいてもよい。例えば、グリセロール、エチレングリコール、ジエチレングリコール、プロピレングリコール、ソルビトール、及びこれらの混合物などの可塑剤を添加することが有益である場合がある。他の添加剤としては、水、及び洗浄水に送達される、界面活性剤を含む機能性洗剤添加剤、例えば、有機ポリマー分散剤などを挙げることができる。
【０１２９】
フィルムは、不透明、半透明又は透明であってよい。フィルムは、印刷された領域を含んでよい。印刷された領域は、フィルム表面の１０〜８０％、又は区画の内部空間と接触しているフィルム表面の１０〜８０％、又はフィルム表面の１０〜８０％及び区画表面の１０〜８０％を覆い得る。
【０１３０】
印刷領域は、フィルムの連続した部分を覆っていてもよく、又は連続した部分の一部を覆っていてもよく、すなわち、より小さい印刷領域を含んでいてもよく、その合計は、フィルム表面若しくは区画の内部空間と接触しているフィルム表面、又はこれら両方の１０〜８０％を占める。
【０１３１】
印刷領域は、インク、顔料、染料、青み付け剤、又はこれらの混合物を含み得る。印刷領域は、不透明、半透明、又は透明であってよい。
【０１３２】
印刷領域は、単色を含んでいてもよく、又は複数の色、更には３色を含んでいてもよい。印刷領域は、白色、黒色、青色、赤色、又はこれらの組み合わせを含み得る。印刷は、フィルム表面上に層として存在してもよく、又はフィルムに少なくとも部分的に浸透していてもよい。フィルムは、第１の側面及び第２の側面を含む。印刷領域は、フィルムの片側に存在してもよく、又はフィルムの両側に存在してもよい。あるいは、印刷領域は、フィルム自体内に少なくとも部分的に含まれていてもよい。
【０１３３】
印刷領域は、インクを含んでよく、当該インクは顔料を含み得る。フィルム上に印刷するためのインクは、好ましくは、水中での所望の分散等級を有する。インクは、白、赤及び黒を含む任意の色であってよい。インクは、重量当たり１０％〜８０％、又は２０％〜６０％、又は２５％〜４５％の水を含む水系インクであってよい。インクは、重量当たり２０％〜９０％、又は４０％〜８０％、又は５０％〜７５％の固形分を含み得る。
【０１３４】
インクは、剪断速度１０００ｓ−１、温度２０℃で測定された粘度が、１〜６００ｃＰｓ、又は５０〜３５０ｃＰｓ、又は１００〜３００ｃＰｓ、又は１５０〜２５０ｃＰｓであり得る。この測定値は、ＴＡ  ｉｎｓｔｒｕｍｅｎｔｓのＡＲ−５５０レオメータにおいてコーンプレート形状を用いて得ることができる。
【０１３５】
印刷領域は、フレキソ印刷又はインクジェット印刷などの標準的な技術を使用して得ることができる。好ましくは、印刷領域は、フレキソ印刷によって得られ、この場合、フィルムは印刷された後、開口区画の形状に成形される。次いで、この区画に洗剤組成物を充填し、区画上方に第２のフィルムを配置し、第１のフィルムに封止される。印刷領域は、フィルムの片側に存在してもよく、又はフィルムの両側に存在してもよい。
【０１３６】
あるいは、フィルムの全部又は少なくとも一部が着色されるように、インク又は顔料をフィルムの製造中に添加してもよい。
【０１３７】
フィルムは、例えば苦味剤などの嫌悪剤を含んでよい。好適な苦味剤としては、ナリンギン、オクタ酢酸スクロース、塩酸キニーネ、安息香酸デナトニウム、又はこれらの混合物が挙げられるが、これらに限定されない。任意の好適な濃度の嫌悪剤をフィルムに使用してよい。好適な濃度としては、１〜５０００ｐｐｍ、又は更には１００〜２５００ｐｐｍ、又は更には２５０〜２０００ｒｐｍが挙げられるが、これらに限定されない。
【０１３８】
製造方法
本発明の液体洗濯洗剤組成物は、当該技術分野において既知の任意の好適な製造技術を使用して製造され得る。当業者であれば、本発明に係る組成物を製造するのに適切な方法及び機器を理解するであろう。
【０１３９】
好ましいプロセスは、固相を添加する工程を含み、当該固相は、粒子を含み、当該粒子は、５００μｍ未満又は更には４００μｍ未満、又は更には２５０μｍ未満、又は更には１００μｍ未満の平均粒径分布を有する。
【０１４０】
固相は、予分散液を形成するために、ある体積の液体に予め分散させてもよい。次いで、予分散液を他の成分に添加して、液体洗濯洗剤組成物を形成する。
【０１４１】
固相は、予分散液を形成するために、ある体積のアルコールに予め分散させてもよい。次いで、予分散液を他の成分に添加して、液体洗濯洗剤組成物を形成する。
【０１４２】
ＨＣＯプレミックスは、ＨＣＯを融解させ、小体積の温液体洗濯洗剤組成物（酵素も香料材料も含まない）に添加することによって形成され得る。次いで、ＨＣＯプレミックスを他の成分に添加して、液体洗濯洗剤組成物を形成する。
【０１４３】
使用方法
本発明の組成物又は単位用量物品は、洗濯物が既に存在しているか、又は洗濯物が加えられる洗浄液に添加してよい。上記の組成物又は物品は、洗濯機の稼働中に使用してよく、ドラムに直接添加しても、引き出し式ディスペンサー（dispenser drawer）に添加してもよい。洗濯機は、自動洗濯機であっても、半自動洗濯機であってもよい。布地柔軟剤又はしみ除去剤などの他の洗濯洗剤組成物と組み合わせて使用してもよい。洗浄液に添加する前に、前処理組成物として、しみに使用してもよい。
【０１４４】
本明細書に開示した寸法及び値は、記載された正確な数値に厳密に限定されるものと理解されるべきではない。むしろ、特に指示がない限り、そのような各寸法は、記載された値及びその値の周辺の機能的に同等の範囲の両方を意味するものとする。例えば「４０ｍｍ」として開示される寸法は、「約４０ｍｍ」を意味するものとする。
【実施例】
【０１４５】
様々な組成物の粘度を比較した。以下の組成物を調製した。
【０１４６】
【表１】
2018516305.tif 000012
【０１４７】
１０ｃｍのインペラを備えるＩＫＡ  Ｅｕｒｏｓｔａｒ  ２００ミキサを有する１Ｌのビーカーを調製することによって、組成物を製造した。これを２５０ｒｐｍで稼働させた。回転インペラを備えるビーカーに溶媒材料を添加し、続いて、界面活性剤材料を添加した。これらが分散したら、ポリマー及び塩を添加した。組成物のｐＨを、ＮａＯＨを用いて約＆（Ｓａｒｔｏｒｉｕｓ  ＰＴ−１０  ｐＨ計を用いて測定）に調整した。次いで、残りの成分を添加し、混合した。全ての材料を、Ｍｅｔｔｌｅｒ  Ｔｏｌｅｄｏ  ＰＢ３００２−Ｓ秤を用いて計量した。
【０１４８】
組成物Ｃは、当該組成物Ｃの６．２５重量％のモノエタノールアミンを含んでいた。組成物Ａ及びＢは、モノエタノールアミンを含んでいなかった。
【０１４９】
組成物Ｂは、当該組成物Ｂの約１２〜１３重量％の水溶性固相を含んでいた。
【０１５０】
次いで、２０℃で１０００μｍのギャップを使用してＴＡ  ｉｎｓｔｒｕｍｅｎｔｓ製のレオメータＤＨＲ１を用いて、組成物の粘度を測定した。サンプルを、０．０５ｓ−１で１分間平衡化し、続いて、１０分間にわたって０．０５ｓ−１〜１２００ｓ−１の流動曲線を測定した。０．０５ｓ−１〜１０００ｓ−１の結果を表２に示す。
【０１５１】
【表２】
2018516305.tif 000013
【０１５２】
０．０５ｓ−１における剪断力は、消費者が組成物を注いでいる間に組成物が受ける剪断力に相当する。１０００ｓ−１における剪断力は、製造中に組成物が受ける剪断力に相当する。
【０１５３】
６．２５％のモノエタノールアミンを含む組成物Ｃは、消費者注入剪断力及び加工投入剪断力に相当する低及び高剪断力において、許容可能な粘度プロファイルを示す。
【０１５４】
しかし、組成物Ａにおいてモノエタノールアミンを除去した（そして、対応して、界面活性剤を炭酸ナトリウムで中和した）とき、粘度が許容不可能なレベルに増大する。
【０１５５】
モノエタノールアミンが除去され、界面活性剤が炭酸ナトリウムで中和されているだけでなく、１，２−プロパンジオールも添加されている組成物Ｂは、本発明に相当する。粘度は、許容可能なレベルまで戻る。
【国際調査報告】
2018516305.tif 000014
2018516305.tif 000015